(57)【要約】 【課題】  この発明は、はさみの取扱い時の刃先による指などの傷害を回避しつつ、併せて付着した切断くずの除去の容易性を図る。【解決手段】  それぞれの刃体１２ａ、１２ｂの刃先２０ａ、２０ｂに沿わせ、かつ、該刃先２０ａ、２０ｂの外側にかけてはみ出した保護縁２２ａ、２２ｂを有する保護部材２２、２２が刃体１２ａ、１２ｂ上に着脱自在に設けられてなる。【選択図】      図２
2005143999.tif 000002
【特許請求の範囲】
【請求項１】
ハンドルを備え、かつ長さ方向に沿って一側に刃先を有する一対の刃体が枢軸を中心にして開閉自在に設けられてなるはさみにおいて、
それぞれの刃体の刃先に沿わせ、かつ、該刃先から刃先の外側にかけてはみ出した保護縁を有する保護部材が刃体上に着脱自在に設けられてなることを特徴とするはさみ。
【請求項２】
該保護部材のはみ出した保護縁の距離が０．１〜１．０ｍｍであることを特徴とする請求項１記載のはさみ。
【請求項３】
一方の保護部材を刃体から取り外すことにより、くしを刃体上に着脱自在に設けるようにしてなることを特徴とする請求項１又は２記載のはさみ。
【発明の詳細な説明】
【技術分野】
【０００１】
この発明は、取扱い時に使用者の指先などが刃先により傷害を受けることのない安全性を備えたはさみに関する。
【背景技術】
【０００２】
この種の背景技術として特開平０６−１５４４３２号公報に記載された発明が知られている。
この発明は、図７を参照して明らかなように、リングハンドル３２、３２を備え、一側に刃先３４、３４を備えた刃体３６、３６が結合ねじ３８を中心にして開閉自在に設けられてなるものであって、該刃先３４、３４には外側に飛び出して切断機能を持たない丸味を帯びた突起４０、４０がそれぞれの刃体３６、３６にその長手方向に離間して設けられることにより、切断機能を持たない丸味を帯びた突起４０、４０がはさみ３０の使用時に人体の指先などに干渉して指先などにけがを生じないようにしたものであった。
【特許文献１】特開平０６−１５４４３２号公報
【発明の開示】
【発明が解決しようとする課題】
【０００３】
前記の特許文献１記載の背景技術では、切断機能を持たない丸味を帯びた突起４０、４０により、はさみ３０の取り扱い時に人体の指先などが干渉して指先などにけがをしないようにできる点で評価できるものの、切断機能を持たない丸味を帯びた突起４０、４０が刃体３６、３６に一定の間隔を設けて離間状態に設けられているから、たとえば、合成繊維を切断する場合、長時間の使用による結果、前記したそれぞれの突起４０、４０間に切断くずが滞積して遂には切断機能に悪影響を与えるという問題があった。
【０００４】
この発明の目的は、前記の背景技術の構成が有していた問題点を解決しようとするものであり、はさみの取扱い時の刃先による指などの傷害を回避しつつ、併せて滞積した切断くずの除去の容易性を図ることにある。
さらに、くしを刃体に着脱自在に設けるようにして毛髪を梳きつつ切断でき、かつ、はさみの取扱い時の刃先による指などの傷害を回避しつつ、併せて滞積した毛髪の切断くずの除去の容易性を図ることにある。
【課題を解決するための手段】
【０００５】
この発明の第１の課題解決手段は、ハンドルを備え、かつ長さ方向に沿って一側に刃先を有する一対の刃体が枢軸を中心にして開閉自在に設けられてなるはさみにおいて、それぞれの刃体の刃先に沿わせ、かつ、該刃先の外側にかけてはみ出した保護縁を有する保護部材が刃体上に着脱自在に設けられてなることを特徴とするものである。
【０００６】
第２の課題解決手段は、第１の課題解決手段において、該保護部材の該刃先から刃先の外側にかけてはみ出した距離が０．１〜１．０ｍｍであることを特徴とするものである。
【０００７】
第３の課題解決手段は、第１又は第２の課題解決手段において、一方の該保護部材を取り外すことにより、くしを刃体上に着脱自在に設けるようにしてなることを特徴とするものである。
【発明の効果】
【０００８】
第１の課題解決手段は、上記のように構成されているから、以下の作用効果を奏する。
それぞれの刃体の刃先に沿わせ、かつ、該刃先の外側にかけてはみ出した保護縁を有する保護部材が刃体上に着脱自在に設けられてなるから、使用者のはさみの取扱い時に人の指先などが刃先に触れようとしても、保護部材にはみ出した保護縁があるから、指先などは保護縁に干渉され、刃先に接触しないから指先などに傷害を受けることがない。
さらに、被切断物の切断くずが飛び出した保護縁の下面と刃先側の刃体上との間に滞積することがあっても、保護部材を刃体から取り外すことができるから、被切断物の切断くずを除去し易い。
したがって、切断くずを容易に除去し易いから、はさみの切断機能の保持を長期化できる。
【０００９】
第２の課題解決手段は、上記のように構成されているから、以下の作用効果を奏する。
第１の課題解決手段が奏する作用効果のほか、保護部材の該刃先から刃先の外側にかけてはみ出した距離を０．１〜１．０ｍｍに設定することにより、一層、被切断物の切断時に切断の障害にならない。
この点をさらに詳しく説明すると、はさみは一対の刃体を擦るようにして摺動させ、それぞれの刃先により、被切断物を挟むようにして切断するものであるが、この発明では、刃先に沿って外側に飛び出た保護縁が存在するから、切断時に被切断物は刃体の刃先に接触する前に保護縁に接触することになるから、被切断物は刃体の摺動方向に追従して移動し、刃先に接触することなく、遠ざかることが予期される。
【００１０】
しかし、はさみは一対の刃先を備えた刃体により切断するものであるから、一方の刃体により被切断物が刃先から遠ざかるように移動しても、他方の刃体は一方の刃体の摺動方向と反対方向に摺動するので被切断物は、両刃先寄りに押し戻されることになる。
かくして、保護部材が存在しても被切断物の切断に障害にならない（図３、図４を参照）。
【００１１】
第３の課題解決手段は、上記のように構成されているから、以下の作用効果を奏する。
第１又は第２の課題解決手段が奏する作用効果のほか、一対の刃体に装着された保護部材のうち、一方の保護部材に代えて「くし」を装着させることにより、他方の刃体には依然として保護部材が残存するから、毛髪を梳きつつ切断でき、かつ、はさみの取扱い時の刃先による指などの傷害を回避しつつ、併せて保護部材やくしを刃体から取り外すことにより、刃体、保護部材およびくしに滞積した毛髪の切断くずの除去を容易に行うことができ、はさみの切断機能の長期化を図ることができる。
【発明を実施するためにの最良の形態】
【００１２】
この発明の実施の形態に係るはさみ１０の発明を図面を参照して説明する。
他方、この発明では、くしを備えたはさみ２４についても言及されている。
【００１３】
実施の形態１のはさみ１０について説明する。
はさみ１０の基本的構成は広く知られたものであり、一対の刃体１２ａ、１２ｂが共通な枢軸１４を中心にして開閉自在に設けられている。
【００１４】
そして、一対のこれらの刃体１２ａ、１２ｂにはそれぞれハンドル１６ａ、１６ｂが装着されている。
図示の例では、ハンドル１６ａ、１６ｂは刃体１２ａ、１２ｂと分離独立して設けられ、ねじ１８ａ、１８ｂを介して刃体１２ａ、１２ｂに固定されているが、もとより刃体１２ａ、１２ｂと一体に設けることは自由である。         
【００１５】
この発明は、前記したように、はさみの取扱い時の刃先による指などの傷害を回避しつつ、併せて被切断物Ｗの切断時に付着した被切断物Ｗの切断くずの除去の容易性を図ることを目的にしているから、この目的を達成するため、一対の刃体１２ａ、１２ｂのそれぞれの刃先２０ａ、２０ｂに人体の指先などが触れることがあっても指先などに傷害を発生しないように保護縁２２ａ、２２ｂを有するそれぞれの保護部材２２、２２が一対の刃体１２ａ、１２ｂに着脱自在に設けられている。
【００１６】
この点をさらに詳しく説明すると、保護部材２２、２２は好ましくは板状のプラスチックスによるものであり、その外形は概ね刃体１２ａ、１２ｂの刃先２０ａ、２０ｂ側の輪郭に対応されている。
そして、この保護部材２２、２２はそれぞれの刃体１２ａ、１２ｂに簡単に装着させることができ、かつ、被切断物Ｗの切断くずの掃除に備えて刃体１２ａ、１２ｂから取り外しができるように配慮され、図示のように３個の突起２２ｃが設けられている。
【００１７】
そして、これらの３個の突起２２ｃに対応させてそれぞれの刃体１２ａ、１２ｂには３個毎の支持孔１２ｃ、１２ｃが設けられ、保護部材２２、２２の突起２２ｃを刃体１２ａの支持孔１２ｃに嵌入させることにより、保護部材２２を刃体１２ａ、１２ｂに固定できるように配慮されている。
【００１８】
保護部材２２の材質をプラスチックスに制約するものではないが、プラスチックスの場合は弾性力を備えているから、突起２２ｃの径より多少小さな径による支持孔１２ｃを刃体１２ａに設け、突起２２ｃを支持孔１２ｃに強制的に嵌入させることにより、保護部材２２が刃体１２ａ、１２ｂから容易に抜け出ることのないようにされている。
他方、保護部材２２を刃体１２ａ、１２ｂから取り外す場合は、やや強く保護部材２２を刃体１２ａ、１２ｂから引っ張ることにより行うことができる有利性がある。
【００１９】
さらに、この発明を引き続き説明すると、保護部材２２には、刃体１２ａ、１２ｂの刃先２０ａ、２０ｂに沿わせ、かつ、刃体１２ａ、１２ｂの刃先２０ａ、２０ｂから外側にかけてはみ出た保護縁２２ａが設けられている。
このはみ出た保護縁２２ａは、保護部材２２を刃体に１２ａ、１２ｂに装着させたときに、刃先２０ａ、２０ｂから外側にかけてはみ出る部分である（図２、図３、図４を参照）。
【００２０】
保護縁２２ａは本来的には被切断物の切断機能に不要のものであり、その距離が多い場合は、被切断物の切断に障害となるから、被切断物の種類たとえば、紙や繊維などの場合、紙でも事務用紙と段ボール紙によって異なるものの、この発明者は実験的に好ましくは０．１〜１．０ｍｍとした。
もとより、多少の誤差により顕著にその機能が喪失するものではない。
なお、保護部材２２のはみ出た保護縁２２ａは、人の指先などが触れたときに傷害を回避するため、断面形態が角張ることなく円弧の形態であることが望ましい。
【００２１】
前記した図示の保護部材２２を刃体１２ａ、１２ｂに着脱できるようにする構成は、突起２２ｃと支持孔１２ｃに制約されるものではなく、図示を省略したが、保護部材２２と刃体１２ａ、１２ｂに共通なねじ孔を形成し、突起２２ｃに代えてねじを保護部材２２に設け、両者のねじ孔にねじを螺合させることにより、保護部材２２を刃体１２ａ、１２ｂに着脱自在に設けることも発明者は予定している。
【００２２】
この発明の具体的な作用効果を図を参照して説明すると、被切断物Ｗたとえば一般的なシート状の紙類を切断する場合についていえば、刃体１２ａ、１２ｂは知られるように上下方向から互いに被切断物Ｗに向けて交差状態に移動するが、この場合、保護部材２２、２２の保護縁２２ａ、２２ａはそれぞれ刃体１２ａ、１２ｂの刃先２０ａ、２０ｂより外側にはみ出た状態にあるから、一方の刃体１２ａの刃先２０ａから見れば、その刃先２０ａに先に接触することなく、一方の保護縁２２ａが先に被切断物Ｗに接触し、被切断物Ｗを押し下げ、その刃先２０ａから遠ざけることになる。
【００２３】
しかし、この発明では、他方の刃体１２ｂは一方の刃体１２ａと同時に、かつ、上方に向けて換言すれば被切断物Ｗに向けて上昇することになる。  
かくして、押し下げられた被切断物Ｗは他方の保護縁２２ｂにより、持ち上げられて一方の刃体１２ａの刃先２０ａに向けられる。
その結果、被切断物Ｗは保護縁２２ａ、２２ｂにより切断機能が干渉されることなく、被切断物Ｗの切断を行うことができる（図３、図４を参照）。
【００２４】
前記した理由に鑑み、被切断物Ｗの切断時に一対の保護部材２２、２２の保護縁２２ａ、２２ｂにより被切断物Ｗを同時に押し下げ、かつ、持ち上げて両刃先２０ａ、２０ｂに接触させることにより、切断を行うものであるから、被切断物Ｗの押し下げ、持ち上げがタイムラグがなく、かつ、被切断物Ｗの押し下げる距離と持ち上げられる距離が一致している必要がある。
そのため、両者の保護縁２２ａ、２２ｂの刃先２０ａ、２０ｂからはみ出た距離が共通することが望まれる。
【００２５】
この発明では、保護部材２２、２２の保護縁２２ａ、２２ｂが一対の刃体１２ａ、１２ｂの刃先２０ａ、２０ｂに臨ませてあるから（図３、図４を参照）、それぞれの刃先２０ａ、２０ｂとそれぞれの保護縁２２ａ、２２ｂの内側との間の空間部に被切断物Ｗの切断時に発生する切断くずが滞積するおそれがある。
【００２６】
そこで、滞積した切断くずを除去するのに前記した保護部材２２、２２をやや強く刃体１２ａ、１２ｂから引っ張ることにより、保護部材２２、２２を刃体１２ａ、１２ｂから取り外すことができる。
そして、保護部材２２、２２が取り外された刃体１２ａ、１２ｂには障害物がなくなり、掃除し易い環境を得ることができる。
そこで、刃体１２ａ、１２ｂの刃先２０ａ、２０ｂ側や保護部材２２、２２の保護縁２２ａ、２２ｂ側を適宜のブラシなどにより、滞積した被切断物Ｗの切断くずを容易に除去できる。
【００２７】
一方、はさみ１０の使用に備え、切断くずが除去された保護部材２２、２２をそれぞれの刃体１２ａ、１２ｂに装着することにより、安全性に優れ併せて切断くずの掃除をし易いはさみ１０を提供できることはいうまでもない。
【００２８】
次ぎにこの発明は、毛髪を梳くと併せ取り扱い時の安全性を図りつつ、毛髪の切断ができ、さらに毛髪の切断くずの除去の容易性を図るはさみ２４についても言及するから、発明の実施の形態２について図５を参照してその詳細を以下に説明する。
【００２９】
このはさみ２４の大部分の構成は、前記した発明の実施の形態１の説明と図１〜図４と共通する点が少なくないから、異なる構成について言及する。
【００３０】
この発明の実施の形態２では、毛髪を梳くことを主たる目的としているから、従来から広く知られたくし歯２６ａが多数備えられたくし２６が設けられ、前記した保護部材２２、２２の突起２２ｃと一致させて突起２６ｃの数、その間隔が保護部材２２、２２の突起２２ｃと共通に設けられている（図５、図６を参照）。
換言すれば、一方の保護部材２２に代えてくし歯２６ａが多数備えられたくし２６が用意されているといえる。
【００３１】
くし２６を使用する場合は、一対の保護部材２２、２２のうち、一方の保護部材２２を一方の刃体１２ａから取り外し、取り外された一方の刃体１２ａにくし歯２６ａを他方の刃体１２ｂの刃先２０ｂ側に向けて装着することにより使用に供することができる。
【００３２】
なお、この実施の形態２におけるくし２６は、はさみ１０の一対の刃体１２ａ、１２ｂが閉じた状態において使用することが予定されている。
そこで、図６に示されるようにくし２６を何れかの刃体１２ａ、１２ｂに装着したときに、くし歯２６ａは刃体１２ａ、１２ｂの刃先２０ａ、２０ｂの外側にはみ出るように設定されている。
【００３３】
かくして、一方の保護部材２２が外された一方の刃体１２ａに保護部材２２に代えてくし２６を装着させ、一対の刃体１２ａ、１２ｂを閉じることにより、くし６を使用して毛髪を梳くことができる。
また、前記した実施の形態１の説明から明らかなようにくし２６を刃体１２ａから取り外すことにより、毛髪くずの除去を楽に行うことができる。
【００３４】
他方の刃体１２ｂには依然として他方の保護部材２２が残存しているから、他方の刃体１２ｂによる取り扱い時の傷害を回避できる。
これに対して、一方の刃体１２ａには保護部材２２に代えてくし２６が装着されているから、安全性について保護部材２２の奏する機能に欠けるものの、くし歯２６ａが指先などの傷害の回避に寄与する。
【図面の簡単な説明】
【００３５】
【図１】この発明の実施の形態に係るはさみに一方の保護部材が未装着である状態を示す斜視図
【図２】この発明の実施の形態に係るはさみの斜視図
【図３】この発明の実施の形態に係るはさみによる被切断物の切断前の要部拡大断面図
【図４】この発明の実施の形態に係るはさみによる被切断物の切断時の要部拡大断面図
【図５】他の発明の実施の形態に係るはさみにくしの未装着の状態を示す斜視図
【図６】他の発明の実施の形態に係るはさみにくしを装着した状態を示す斜視図
【図７】背景技術に係るはさみの斜視図
【符号の説明】
【００３６】
１０  はさみ
１２ａ  刃体
１２ｂ  刃体
１２ｃ  支持孔
１４    枢軸
１６ａ  ハンドル
１６ｂ  ハンドル
１８ａ  ねじ  
１８ｂ  ねじ  
２０ａ  刃先  
２２  保護部材
２２ａ  保護縁  
２２ｃ  突起
２４  はさみ
２６  くし
２６ａ  くし歯
２６ｃ  突起
Ｗ      被切断物
３０  背景技術のはさみ
３２  背景技術のリングハンドル
３４  背景技術の刃先
３６  背景技術の刃体
３８  背景技術の枢軸
４０  背景技術の丸みのある突起
【図１】
2005143999.tif 000003
【図２】
2005143999.tif 000004
【図３】
2005143999.tif 000005
【図４】
2005143999.tif 000006
【図５】
2005143999.tif 000007
【図６】
2005143999.tif 000008
【図７】
2005143999.tif 000009